(57)【要約】【課題】競技に係る情報をユーザーに提示可能な携帯機器を実現する。【解決手段】携帯機器２は、ＧＰＳ衛星３からＧＰＳ信号を受信し位置測定情報を得ることができる。これにより、走行距離を把握できる。携帯機器２は、競技開始指定時刻または計時開始操作を計時開始タイミングとしたグロスタイムを計時できる。また、携帯機器２は、グロスタイムの計時開始と同時又はその後に計時が開始されて、計時の一時停止とその再開が可能なネットタイムを計時できる。そして、グロスタイムとネットタイムとをタッチパネル１２に表示させることができる。【選択図】図６
2015073591.tif 000002
【特許請求の範囲】
【請求項１】
所与の計時開始タイミングから計時を開始して第１種積算時間を計時する第１種計時部と、
前記計時開始タイミングと同時又はその後に計時を開始して第２種積算時間を計時する第２種計時部と、
前記第１種積算時間と前記第２種積算時間とを表示する制御を行う積算時間表示制御部と、
を備えた携帯機器。
【請求項２】
前記第１種計時部は、所与の指定時刻になったことを前記計時開始タイミングとして、前記第１種積算時間の計時を開始する、
請求項１に記載の携帯機器。
【請求項３】
測位部と、
前記測位部での測位結果を用いて、所与のスタート地点からの移動距離を算出する移動距離算出部と、
前記計時開始タイミングからの経過時間またはクロック時刻で表したリミットタイムと、当該リミットタイムを超える前記ユーザーの通過を制限する地点を距離で表した制限地点とを前記ユーザーの操作入力に従って設定する通過リミット情報設定部と、
前記リミットタイムまでの残り時間と、前記制限地点までの残りの距離とを表示する制御を行う残余情報表示制御部と、
を更に備えた請求項１又は２に記載の携帯機器。
【請求項４】
前記測位部での測位結果を用いて、移動ペースを算出する移動ペース算出部と、
前記移動ペースを用いて、前記制限地点での到達予想時間を算出する到達予想時間算出部と、
前記リミットタイムと前記到達予想時間とを表示する制御を行う到達予想時間表示制御部と、
を更に備えた請求項３に記載の携帯機器。
【請求項５】
所与の目標ペースと前記移動ペースとを表示する制御を行うペース表示制御部、
を更に備えた請求項４に記載の携帯機器。
【請求項６】
前記リミットタイムは、前記計時開始タイミングからの経過時間で表されており、
前記リミットタイムと前記第１種積算時間とを表示する制御を行うリミットタイム対比表示制御部と、
を更に備えた請求項３〜５の何れか一項に記載の携帯機器。
【請求項７】
距離で表した所与の通過地点を前記ユーザーが通過する通過目標時間を、前記ユーザーの操作入力に従って設定する通過目標時間設定部と、
前記第２種積算時間から前記通過目標時間までの残時間と、前記通過地点までの残りの距離とを表示する制御を行う目標基準残余情報表示制御部と、
を更に備えた請求項３〜６の何れか一項に記載の携帯機器。
【請求項８】
所与の計時開始タイミングから計時を開始して第１種積算時間を計時することと、
前記計時開始タイミングと同時又はその後に計時を開始して第２種積算時間を計時することと、
前記第１種積算時間と前記第２種積算時間とを表示することと、
を含む積算時間表示制御方法。
【発明の詳細な説明】
【技術分野】
【０００１】
本発明は、積算時間の計時と表示が可能な携帯機器等に関する。
【背景技術】
【０００２】
従来、ＧＰＳ（Global Positioning System）を利用する累積移動距離を測定する装置が知られている（例えば、特許文献１参照）。こうした装置は、地球上における現在位置を測定する位置測定機能を有した「ランニングウォッチ」「トレーニングウォッチ」「ランナーズウォッチ」等と呼ばれる腕時計タイプの身体装着可能な携帯型の電子機器（以下「携帯機器」という）として利用されている。こうした携帯機器は、例えば、時計と、ＧＰＳ受信器と、演算装置と、記憶媒体とを有している。ユーザーがランニングをする際に位置の測定を開始操作すると、携帯機器は、周期的に計測された緯度・経度などを含む位置測定情報を自動的・継続的に記憶する。そして、携帯機器に記憶されたランニング中の位置情報等は、パソコンなどの外部装置により解析され、ランニングした軌跡を地図上に表示させたり（マップ表示）、ペースやピッチなどのパラメーターを演算してランニング開始から終了までの変化をグラフ表示させたりするのに利用される。ユーザーは、こうしたマップ表示やグラフ表示を利用して、効率的なトレーニングを実現することができる。
【先行技術文献】
【特許文献】
【０００３】
【特許文献１】特開２００３−３２２５４５号公報
【発明の概要】
【発明が解決しようとする課題】
【０００４】
近年、上述のような携帯機器を競技に用いるユーザーが増えている。しかし、従来の携帯機器は競技で良い成績を残すのに有益な情報をユーザーが望むほど十分には表示できなかった。例えば、マラソン大会には、数千〜数万人のランナーが参加する場合があり、スタート地点から離れた位置でスタートの号砲を聞くランナーが殆どである。すなわち、スタートの号砲から計時される大会公式記録と、ランナーが実際にスタート地点を通過した時点から計時した当該ランナー自身の走行時間とには、ずれがある。こうした大会公式記録となるグロスタイムと呼ばれる計時時間や、ランナー個人のスタート地点通過時点からのネットタイムと呼ばれる計時時間なども、そうした有益な情報といえるだろう（以下、「競技に係る情報」と呼ぶ。）。
【０００５】
本発明は、こうした事情を鑑みてなされたものであり、競技に係る情報をユーザーに提示可能な携帯機器を実現することを目的とする。
【課題を解決するための手段】
【０００６】
上記の課題を解決するための第１の発明は、所与の計時開始タイミングから計時を開始して第１種積算時間を計時する第１種計時部と、前記計時開始タイミングと同時又はその後に計時を開始して第２種積算時間を計時する第２種計時部と、前記第１種積算時間と前記第２種積算時間とを表示する制御を行う積算時間表示制御部と、を備えた携帯機器である。
【０００７】
また、別形態として、所与の計時開始タイミングから計時を開始して第１種積算時間を計時することと、前記計時開始タイミングと同時又はその後に計時を開始して第２種積算時間を計時することと、前記第１種積算時間と前記第２種積算時間とを表示することと、を含む積算時間表示制御方法を構成することができる。
【０００８】
第１の発明およびその別形態によれば、所定の計時開始タイミングからの第１種積算時間と、当該積算時間の計時と同時又はその後に計時が開始される第２種積算時間とを表示することができる。マラソン大会であれば、例えば、第１種積算時間としてグロスタイム、第２種積算時間としてネットタイムを表示できる。そのため、競技に係る有益な情報をユーザーに提示可能となる。
【０００９】
第２の発明によれば、前記第１種計時部は、所与の指定時刻になったことを前記計時開始タイミングとして、前記第１種積算時間の計時を開始する、第１の発明の携帯機器である。
【００１０】
例えば、数千〜数万の参加者に及ぶ大規模な競技の場合、スタートを待つユーザーの環境によってはスタートの号砲が聞こえず、ユーザー自身により第１種積算時間の計時開始操作を行えない可能性もある。しかし、第２の発明によれば、指定時刻になると自動的に第１種積算時間を計時開始させることができるので、例えば、公式な指定時刻を計時開始の基準とした第１種積算時間を正確に計時できる。
【００１１】
第３の発明は、測位部と、前記測位部での測位結果を用いて、１）所与のスタート地点からの移動距離を算出する移動距離算出部と、２）前記計時開始タイミングからの経過時間またはクロック時刻で表したリミットタイムと、当該リミットタイムを超える前記ユーザーの通過を制限する地点を距離で表した制限地点とを前記ユーザーの操作入力に従って設定する通過リミット情報設定部と、３）前記リミットタイムまでの残り時間と、前記制限地点までの残りの距離とを表示する制御を行う残余情報表示制御部と、を更に備えた第１又は第２の発明の携帯機器である。
【００１２】
また、第４の発明は、前記測位部での測位結果を用いて、移動ペースを算出する移動ペース算出部と、前記移動ペースを用いて、前記制限地点での到達予想時間を算出する到達予想時間算出部と、前記リミットタイムと前記到達予想時間とを表示する制御を行う到達予想時間表示制御部と、を更に備えた第３の発明の携帯機器である。
【００１３】
更に、第５の発明は、所与の目標ペースと前記移動ペースとを表示する制御を行うペース表示制御部、を更に備えた第４の発明の携帯機器である。
【００１４】
第３〜第５の発明によれば、例えば、第１種積算時間の計時開始から所定時間内すなわちリミットタイムまでに通過しないと競技を継続できなくなる形式の競技の場合に、競技を継続できるようにペースを上げるべきか否かを判断するための情報を表示することができる。
第４の発明では、現在移動ペースを維持した場合の制限地点への到達予想時間とリミットタイムとを表示できるのでより効果的である。第５の発明では、更に目標ペースを表示できるので、更にペースを上げるべきか判断し易くなる。
【００１５】
第６の発明は、前記リミットタイムは、前記計時開始タイミングからの経過時間で表されており、前記リミットタイムと前記第１種積算時間とを表示する制御を行うリミットタイム対比表示制御部と、を更に備えた第３〜第５の何れかの発明の携帯機器である。
【００１６】
第６の発明によれば、更にリミットタイムと第１種積算時間とを対比させて表示することができる。
【００１７】
第７の発明は、距離で表した所与の通過地点を前記ユーザーが通過する通過目標時間を、前記ユーザーの操作入力に従って設定する通過目標時間設定部と、前記第２種積算時間から前記通過目標時間までの残時間と、前記通過地点までの残りの距離とを表示する制御を行う目標基準残余情報表示制御部と、を更に備えた第３〜第６の何れかの発明の携帯機器である。
【００１８】
第７の発明によれば、ユーザーが任意に通過地点を設けて、当該地点の通過目標時間までの残時間と残りの距離とを表示させることができる。
【図面の簡単な説明】
【００１９】
【図１】携帯機器の構成例を示す図。
【図２】携帯機器でサポートする競技に係る情報を説明するための図
【図３】競技諸元に関する入力画面例を示す図。
【図４】グロスタイム（第１積算時間）の計時に関して説明する図。
【図５】ネットタイム（第２積算時間）の計時に関して説明する図。
【図６】競技に係る情報表示の例を示す表示画面例であって、第１の表示形態の例を示す図。
【図７】競技に係る情報表示の例を示す表示画面例であって、第２の表示形態の例を示す図。
【図８】競技に係る情報表示の例を示す表示画面例であって、第３の表示形態の例を示す図。
【図９】競技に係る情報表示の例を示す表示画面例であって、第４の表示形態の例を示す図。
【図１０】競技に係る情報表示の例を示す表示画面例であって、第５の表示形態の例を示す図。
【図１１】携帯機器の機能構成例を示す機能ブロック図。
【図１２】競技諸元データのデータ構成の一例を示す図。
【図１３】競技データのデータ構成の一例を示す図。
【図１４】携帯機器における競技支援に関する処理の流れを説明するためのフローチャート。
【図１５】図１４より続くフローチャート。
【図１６】携帯機器の変形例を示す図。
【発明を実施するための形態】
【００２０】
〔第１実施形態〕
図１は、本実施形態における携帯機器の構成例を示す図である。
本実施形態の携帯機器２は、腕時計と同様にユーザー１の手首や腕に装着可能な携帯型の電子機器であって、その外見は腕時計やランニングウォッチに分類されるウェアラブルコンピューターである。
【００２１】
携帯機器２のメインフレーム１０の上面には、タッチパネル１２が設けられている。また、メインフレーム１０の側面には、各種操作入力のための単数または複数の操作スイッチ１６と、バンド１８とが設けられている。バンド１８は装着具である。これを巻き付けることで当該携帯機器２を腕時計のように手首や腕、足首などに固定することができる。
【００２２】
メインフレーム１０は気密室を形成し、タッチパネル１２や操作スイッチ１６などに電気的に接続された基板２０と、基板２０等へ電力を供給する充電式バッテリー２１とが内蔵されている。充電式バッテリー２１への充電方式は適宜設定できる。例えば、家庭用電源に接続されたクレードルに携帯機器２をセットし、メインフレーム１０の裏面に設けられた電気接点を介してクレードル経由で通電・充電される構成でも良いし、無線式充電でも良い。
【００２３】
基板２０は、携帯機器２を統合的に制御する。具体的には、ＣＰＵ（Central Processing Unit）２２と、メインメモリー２４と、計測データ用メモリー２６と、位置測定モジュール２８と、近距離無線モジュール２９とを搭載する。また、その他には電源管理ＩＣや、タッチパネル１２のドライバーＩＣ、などのＩＣや電子部品を適宜搭載することができる。
【００２４】
メインメモリー２４は、プログラムや初期設定データを格納したり、ＣＰＵ２２の演算値を格納することのできる記憶媒体である。ＲＡＭ（Random Access Memory）やＲＯＭ（Read Only Memory）、フラッシュメモリーなどを適宜用いて実現される。
【００２５】
計測データ用メモリー２６は、データ書き換えが可能な不揮発性メモリーであって、位置測定情報などを含む測定結果のデータを記憶するための記憶媒体である。本実施形態ではフラッシュメモリーを用いるが、強誘導体メモリーや、磁気抵抗メモリーなどその他の書き換え可能な不揮発性メモリーを用いるとしても良い。
【００２６】
位置測定モジュール２８は、位置測定システムから提供される信号を受信して所定周期（１秒毎）に、位置測定情報をＣＰＵ２２へ出力することができる。本実施形態では、位置測定システムとしてＧＰＳを利用する。よって位置測定モジュール２８は、公知の「ＧＰＳモジュール」や「ＧＰＳ受信器」等を利用することができる。「位置測定情報」には、測位日時（ＵＴＣ：Coordinated Universal Time）、位置座標（緯度・経度）、対地速さ（スカラー量）、速度方位（例えば真北を０°とした進行方向）が含まれる。対地速さと速度方位とは合わせて速度（Velocity）として算出されるとしてもよい。また、対地速さや速度方位は、ＧＰＳ衛星から発信される信号に生じるドップラーシフト（ドップラーとも呼ばれる）に基づいて算出される。位置測定情報には、適宜その他の情報が含まれるとしても良い。
尚、位置測定に利用するシステムはＧＰＳに限らず、Ｇａｌｉｌｅｏ等のその他の衛星航法システムを利用するとしても良い。追加的に地上位置が分っている基地局からの電波を利用する構成としても良い。また、速度センサーや加速度センサー等を用いて慣性航法により位置を測定する構成としても良い。
【００２７】
図２は、本実施形態の携帯機器２でサポートする競技に係る情報を説明するための図である。
携帯機器２がサポートする競技の１つとして、参加者が多数に及ぶ大規模競技、例えば、東京マラソンのようなマラソン大会を想定している。そして、本実施形態において、携帯機器２を使用するユーザー１は、スタート地点間近でスタートすることができる招待選手ではなく、スタート地点より後方に位置し、前方のランナーが移動し始めることで初めて移動を開始でき、順番にスタート地点を通過してマラソン競技を開始する一般ランナーと想定する。図２中の、左方の白キャラクターがこれに該当する。
【００２８】
公知のように、マラソン大会は現地標準時刻が指定時刻（競技開始指定時刻）になると開始され、当該指定時刻を計時開始タイミングとして公式タイムが計時される。これを「グロスタイム（第１種積算時間）」と呼ぶ。招待選手の場合、スタート地点間近から走り始めるので、ゴールした時点のグロスタイムがそのまま当該ランナーの走行所要時間となる。
【００２９】
一方、一般ランナーであるユーザー１は、スタート地点から後方に離れた地点で競技開始指定時刻を迎える。競技開始時点でスタート地点にいないのである。しかも、自分より前方のランナーが走り出して、前方が空くとようやく走り出すことができる。従って、ユーザー１が実際にスタート地点に達するのも、先の競技開始指定時刻からある程度時間が経過してからになる。
【００３０】
つまり、ユーザー１にとって実質的に競技区間に係る走行所要時間は、公式タイムすなわちグロスタイムでは正しく表すことができない。正しい時間は、実際にユーザー１がスタート地点を超えたところから計時が開始されゴールするまでに積算される第２の積算時間である。これを「ネットタイム（第２種積算時間）」と呼ぶ。また、ユーザー１が招待選手であったり、スタート地点間近から競技を開始できる場合もある。この場合を含め、本実施形態の携帯機器２は、ネットタイムをグロスタイムの計時開始タイミングと同時またはその後に計時開始できる。
【００３１】
また、ユーザー１は、競技中にネットタイムさえ分かれば良いかといえばそうではない。マラソン大会には関門（図２中の第１関門、第２関門、…、第ｎ関門）と呼ばれる「制限地点」が設定されることがあり、グロスタイムの計時開始タイミングからの経過時間で表される「リミットタイム（制限時間）」までに関門を通過できなかったランナーはそれ以降の競技を継続できないことになっている。従って、一般ランナーであるユーザー１にとっては、ネットタイム（第２種積算時間）も必要であるが、それ以上にグロスタイム（第１種積算時間）を常に把握し、無事に次の関門を制限時間までに通過できるようにペースをコントロールすることが必要となる。
【００３２】
本実施形態の携帯機器２は、まさにこうした要望を叶えるものであり、グロスタイムとネットタイムとを計時し、更にはそれらを元に求められる競技に係る様々な情報をユーザーに提示する機能を有する。
【００３３】
［諸元の入力の説明］
先ず、本実施形態の携帯機器２には、競技に係る情報をユーザーに提示するための基礎データとして競技諸元を予め入力しておく必要がある。
【００３４】
図３は、競技諸元に関する入力画面例を示す図である。
本実施形態の競技諸元入力画面Ｗ２は、主ページＰ１と、自動的に（あるいは所定のページ追加操作により）追加される複数の副ページＰ２，Ｐ３，…とで構成される。
【００３５】
主ページＰ１には、競技全体に係る諸元を入力するための入力欄が含まれる。本実施形態では、現地標準時刻での開催年月日を入力する入力欄４０と、現地標準時刻での競技開始指定時刻を入力する入力欄４１とが含まれる。そのほか、競技距離を入力する欄などを適宜追加することができる。
【００３６】
副ページＰ２，Ｐ３，…は、制限地点別の諸元を入力するためのページである。本実施形態では、一つの副ページには、制限地点の識別情報を入力する入力欄４２と、スタート地点から当該制限地点までの距離を入力する入力欄４３と、当該制限地点におけるリミットタイム（制限時間）を入力する入力欄４４と、ユーザー１が任意に設定する通過目標時間を入力する入力欄４５と、当該制限地点までのユーザー１が目標とする目標ペースを入力する入力欄４６と、を含む。勿論、想定する競技によってはこれら以外の内容を適宜含めることもできる。
【００３７】
リミットタイムは、グロスタイム（第１種積算時間）の計時開始タイミングからの経過時間または現地標準時刻（クロック時刻）で表される。通過目標時間は、ネットタイム（第２種積算時間）の計時開始からの経過時間で表される。
【００３８】
副ページにおける制限地点に係る諸元は、必ずしも競技で公式に設定されている制限地点いわゆる“関門”に限るものではなく、ユーザー１が関門以外の任意の通過地点に関して設定することができる。例えば、制限地点の識別情報を「自己目標通過地点」などとして、当該通過地点までの距離と、当該通過地点における目標とするグロスタイム基準の時間をリミットタイムとし、目標とするネットタイム基準の時間を通過目標時間とすればよい。
【００３９】
タッチパネル１２に全てのページを一度に表示することはできないが、所定の表示操作（例えば、フリック操作など）によりページ送りが可能になり、所望するページの内容を表示できる。入力方法については、公知技術を適宜適用可能である。例えば入力したい入力欄をタッチすると、当該入力欄がアクティブとなり、ソフトウェアテンキーが画面表示され、当該テンキーへタッチ操作することにより、値や文字を入力するとしてもよい。あるいは、操作スイッチ１６の操作により入力するとしてもよい。
【００４０】
［計時についての説明］
図４は、グロスタイム（第１積算時間）の計時に関して説明する図である。
図４（１）に示すように、所定のグロスタイム（第１種積算時間）の計時開始操作（図４中の２つの黒矢印）の入力が検出されると、グロスタイムの計時を開始することができる。
【００４１】
また、図４（２）に示すように、グロスタイム（第１種積算時間）の計時開始操作が無くとも、予め入力・設定された競技開始指定時刻に達すると自動的にグロスタイムの計時を開始することができる。
【００４２】
また、図４（３）に示すように、グロスタイムの計時開始以降で所定のグロスタイムの計時終了操作が検出されるとグロスタイムの計時を終了する。こうしたグロスタイムの計時は、開始から終了まで一時停止されることはなく連続且つ自動的に行われる。
【００４３】
図５は、ネットタイム（第２積算時間）の計時に関して説明する図である。
図５（１）に示すように、グロスタイムの計時と同時又は計時開始以降に、所定のネットタイム（第２積算時間）の計時開始操作の入力を検出すると、携帯機器２は、ネットタイムの計時を開始する。また、同時にネットタイムの計時開始からの移動距離すなわち「ネット移動距離」の積算を開始する。
【００４４】
そして、ネットタイムの計時は一時停止とその再開が可能である。具体的には、図５（２）に示すように、ネットタイムの計時中に所定の計時一時停止操作の入力を検出すると、携帯機器２はネットタイムの計時を一時停止する。その後、図５（３）に示すように、所定の計時再開操作の入力を検出すると一時停止していたネットタイムの計時を継続再開する。つまり、一時停止するまでに積算されていた時間を引き継いで積算を再開することができる。図５（４）に示すように、グロスタイムの計時終了操作の入力が検出されるとネットタイムの計時も終了する。
【００４５】
［情報表示の説明］
携帯機器２は、グロスタイムや、ネットタイム、ネット移動距離に基づいて、逐次、未通過の制限地点までの残距離や、当該制限地点のリミットタイムまでの残時間（グロスタイムとの差）、当該制限地点の通過目標時間までの残時間（ネットタイムとの差）、移動ペース、当該移動ペースから予測される未通過の制限地点におけるグロスタイムで表される到達予測時間、などの競技に係る情報を算出し、タッチパネル１２に表示させることができる。これを「競技に係る情報表示」と呼ぶ。
【００４６】
図６〜図１０は、本実施形態における競技に係る情報表示の例を示す表示画面例である。図６は、第１の表示形態６１の例を示す図である。
当該表示形態では、グロスタイムを表示するグロスタイム表示部６１ａと、ネットタイムを表示するネットタイム表示部６１ｂとが表示される。
【００４７】
図７は、第２の表示形態６２の例を示す図である。
当該表示形態では、１）次制限地点（現在位置に最も近い未通過の制限地点）のスタート地点からの距離と移動積算距離との差から求められる次制限地点までの残距離を示す第１残余情報表示部６２ａと、２）当該次制限地点のリミットタイムとグロスタイムとの差から求められるリミットタイムまでの残時間を示す第２残余情報表示部６２ｂと、３）ネットタイム（第２種積算時間）から当該次制限地点の通過目標時間までの残時間を示す第３残余情報表示部６２ｃと、が表示される。勿論、次制限地点の識別情報や、ゴールまでの残距離を表示する表示部が更に追加されるとしてもよい。
【００４８】
図８は、第３の表示形態６３の例を示す図である。
当該表示形態では、次制限地点のリミットタイムを示すリミットタイム表示部６３ａと、グロスタイム表示部６３ｂと、が表示される。なお、所定の地点切り換え操作を入力する毎に別の制限地点を表示対象とした表示に切り換え可能な構成としてもよい。
【００４９】
図９は、第４の表示形態６４の例を示す図である。
当該表示形態では、次制限地点の通過目標時間を示す通過目標時間表示部６４ａと、ネットタイムを示すネットタイム表示部６４ｂとを表示する。なお、所定の地点切り換え操作を入力する毎に別の制限地点を表示対象とした表示に切り換え可能な構成としてもよい。
【００５０】
図１０は、第５の表示形態６５の例を示す図である。
当該表示形態では、１）次制限地点までの目標ペースを表示する目標ペース表示部６５ａと、２）ネットタイム及び移動距離から求められる移動ペースを示す移動ペース表示部６５ｂと、３）移動ペース・次制限地点までの残距離・グロスタイムから求められる次制限地点への（グロスタイム基準で表される）到達予想時間を示す到達予測時間表示部６５ｃと、４）次制限地点のリミットタイムを示すリミットタイム表示部６５ｄとを表示する。
【００５１】
よって、第１の表示形態６１（図６）の表示画面とすることで、ユーザー１は２種類の経過時間を一度に確認することができる。また、ユーザー１は、第２の表示形態６２（図７）〜第５の表示形態６５（図１０）の表示画面とすることで、次制限地点まで今のペースで走り続けて良いのか、ペースを上げるべきかの判断に必要な情報を得ることができる。
【００５２】
なお、競技に係る情報表示の仕方は、これらに限らず適宜変更可能である。例えば、各表示形態で表示される情報の数や組み合わせは適宜組み替え可能である。また、表示の方法も、図示のごとくテキスト表示ではなくグラフや記号、表示色などに置き換えることができる。例えば、表示画面の背景を変えるとしてもよい。具体的には、目標ペーストと移動ペースを表示する代わりに（あるいは併用して）、目標ペーストと移動ペースとを比較し、移動ペースが目標ペースを上回っている場合には第１の背景（例えば青色の背景でもよい）とし、下回っている場合には第２の背景（例えば赤色の背景でもよい）とすればよい。また、移動ペースと目標ペースとの差異が大きくなると背景色を明滅させ、その差異が大きいほど明滅の間隔を短くするように背景を表示させることもできる。また、他の例としては、背景画面や背景模様を流れるように表示することとする。そして、移動ペースが目標ペースを上回っている場合には上方向に流れるように表示し、下回っている場合には下方向に流れるように表示する。そして、移動ペースと目標ペースとの差異が大きいほど、流れ表示の速さを速くすることもできる。
【００５３】
［機能構成の説明］
次に、本実施形態における機能構成について説明する。
図１１は、本実施形態における機能構成例を示す機能ブロック図である。
携帯機器２は、操作入力部１００と、測位部１０２と、処理部２００と、時計部３１０と、画像表示部３６０と、通信部３７０と、記憶部５００とを備える。
【００５４】
操作入力部１００は、ユーザー１によって為された各種の操作入力に応じて操作入力信号を処理部２００に出力する。例えば、ボタンスイッチや、タッチパネルといった直接プレーヤが手指で操作する素子はもちろん、加速度センサーや角速度センサー、傾斜センサー、地磁気センサーなど、運動や姿勢を検知する素子などによっても実現できる。図１のタッチパネル１２や操作スイッチ１６がこれに該当する。
【００５５】
測位部１０２は、位置測定システムから信号を受信し、位置測定情報を算出して処理部２００へ出力する。図１の位置測定モジュール２８がこれに該当する。
【００５６】
処理部２００は、例えばＣＰＵやＧＰＵ等のマイクロプロセッサや、ＩＣメモリーなどの電子部品によって実現され、操作入力部１００や記憶部５００を含む装置の各機能部との間でデータの入出力制御を行う。そして、所定のプログラムやデータ等に基づいて各種の演算処理を実行して、携帯機器２の動作を制御する。図１では基板２０がこれに該当する。また、処理部２００は、時計部３１０で計時されている時刻（クロック時刻）を、測位部１０２で算出された位置測定情報に含まれる位置及び日時の情報を用いて現地標準時刻に補正する。
【００５７】
そして、本実施形態の処理部２００は、競技支援演算部２０２と、画像生成部２６０と、通信制御部２７０と、を備える。
【００５８】
競技支援演算部２０２は、競技の支援に関する様々な制御を行う。例えば、競技に関する様々な諸元をユーザー１の操作入力に応じて設定し、記憶部５００に競技諸元データ５１０として記憶させることができる。また、記憶部５００に、位置測定ログデータ５８０として、測位部１０２により得られた位置測定情報を時系列に記録させることができる。そして、得られた位置測定情報に基づいて競技に係る各種情報を算出し、ユーザーに提示するための各演算処理を実行することができる。
【００５９】
具体的には、本実施形態の競技支援演算部２０２は、第１種計時部２０４と、第２種計時部２０６と、積算時間表示部２０８とを含む。
【００６０】
第１種計時部２０４は、所与の計時開始タイミングから計時を開始してグロスタイム（第１種積算時間）を計時する。具体的には、所与の指定時刻（例えば、図２、図３の競技開始指定時刻）になったことを計時開始タイミングとして、第１種積算時間の計時を開始することができる。第１種計時部２０４の計時は、時計部３１０で計時されている時刻を参照して行うとしてもよい。
【００６１】
第２種計時部２０６は、グロスタイムの計時開始タイミングと同時又はその後にネットタイム（第２種積算時間）の計時を開始し、グロスタイムの計時中にユーザーの操作入力に応じて計時の一時停止および一時停止の解除が可能に計時する。第２種計時部２０６の計時は、時計部３１０で計時されている時刻を参照して行うとしてもよい。
【００６２】
積算時間表示部２０８は、グロスタイム（第１種積算時間）とネットタイム（第２種積算時間）とを表示する制御を行う。図６の第１の表示形態６１に係る表示制御がこれに該当する。
【００６３】
また、本実施形態の競技支援演算部２０２は、移動距離算出部２１０と、通過リミット情報設定制御部２１２と、残余情報表示制御部２１４とを有する。
【００６４】
移動距離算出部２１０は、測位部１０２での測位結果すなわち得られた位置測定情報を用いて、所与のスタート地点からの移動距離を積算する。具体的には、第２種計時部２０６による計時開始タイミングからの移動距離を積算する。
【００６５】
通過リミット情報設定制御部２１２は、制限地点と、第１種積算時間の計時開始タイミングからの経過時間（またはクロック時刻）で表したリミットタイムとの情報をユーザー１の操作入力に従って設定する。図３の競技諸元入力画面Ｗ２における副ページＰ２，Ｐ３，…での設定入力制御がこれに該当する。
【００６６】
残余情報表示制御部２１４は、リミットタイムまでの残り時間と、制限地点までの残りの距離とを表示する制御を行う。図７の第２の表示形態６２に係る表示制御がこれに該当する。
【００６７】
また、本実施形態の競技支援演算部２０２は、移動ペース算出部２１６と、到達予測時間算出部２１８と、到達予想時間表示制御部２２０と、ペース表示制御部２２２と、を有する。
【００６８】
移動ペース算出部２１６は、測位部１０２での測位結果を用いて、移動ペースを算出する。例えば、所定の単位距離（例えば１ｋｍ）の走行に要する時間を移動ペースとして算出する。
【００６９】
到達予測時間算出部２１８は、最新の移動ペースを用いて、当該移動ペースで継続して移動した場合の制限地点での到達予想時間を算出する。
【００７０】
到達予想時間表示制御部２２０は、リミットタイムと到達予想時間とを表示する制御を行う。図１０の第５の表示形態６５に係る表示制御がこれに該当する。
【００７１】
ペース表示制御部２２２は、所与の目標ペースと移動ペースとを表示する制御を行う。図１０の第５の表示形態６５に係る表示制御がこれに該当する。
【００７２】
また、本実施形態の競技支援演算部２０２は、リミットタイム対比表示制御部２２４と、通過目標時間設定制御部２２６と、目標基準残余情報表示制御部２２８と、を含む。
【００７３】
リミットタイム対比表示制御部２２４は、リミットタイムとグロスタイム（第１種積算時間）とを表示する制御を行う。図８の第３の表示形態６３に係る表示制御がこれに該当する。
【００７４】
通過目標時間設定制御部２２６は、距離で表した所与の通過地点をユーザーが通過する通過目標時間を、ユーザーの操作入力に従って設定する制御を行う。図３のレース諸元設定における副ページでの設定入力制御がこれに該当し、競技の公式な制限地点とは別に、ユーザーが任意に制限地点を設けることにより実現できる。
【００７５】
目標基準残余情報表示制御部２２８は、ネットタイム（第２種積算時間）から通過目標時間までの残時間と、通過地点までの残りの距離とを表示する制御を行う。図７の第２の表示形態６２に係る表示制御がこれに該当する。
【００７６】
画像生成部２６０は、例えば、ＣＰＵ、液晶ディスプレイのドライバーＩＣ、ＧＰＵ（Graphics Processing Unit）、ビデオコーデックなどのプログラム、描画フレーム用ＩＣメモリー等によって実現される。画像生成部２６０は、各種の画像を画像表示部３６０に表示させるための制御をする。
【００７７】
画像表示部３６０は、画像生成部２６０から入力される制御信号に基づいて各種画像を表示する。例えば、フラットパネルディスプレイなどの画像表示装置によって実現できる。本実施形態では、図１のタッチパネル１２がこれに該当する。
【００７８】
通信制御部２７０は、データ通信に係るデータ処理を実行し、通信部３７０を介して外部装置とのデータのやりとりを実現する。
【００７９】
通信部３７０は、外部装置とのデータ通信を実現する。例えば、無線通信機、有線用の通信ケーブルのジャックや制御回路等によって実現され、図１の近距離無線モジュール２９がこれに該当する。
【００８０】
時計部３１０は、例えば水晶発振器を有する計時回路で構成され、現地標準時刻（クロック時刻）を計時する。
【００８１】
記憶部５００は、処理部２００に携帯機器２を統合的に制御させるための諸機能を実現するためのプログラムや各種初期設定データ等を記憶する。また、処理部２００による演算処理の作業領域として用いられ、処理部２００が各種プログラムに従って実行した演算結果や、操作入力部１００から入力される入力データ、測位部１０２で測定された測定結果のデータ等を一時的に記憶することができる。こうした機能は、例えばＲＡＭやフラッシュメモリーなどのＩＣメモリーなどによって実現される。図１では基板２０が搭載するメインメモリー２４及び計測データ用メモリー２６がこれに該当する。
【００８２】
本実施形態の記憶部５００は、システムプログラム５０１と、競技支援プログラム５０２と、競技諸元データ５１０と、競技データ５３０と、位置測定ログデータ５８０とを記憶する。その他、適宜計時タイマーや、フラグ、などを記憶することができる。
【００８３】
システムプログラム５０１は、携帯機器２にコンピューターとしての基本機能を実現するためのプログラムである。競技支援プログラム５０２は、処理部２００が読み出して実行することによって競技支援演算部２０２としての機能を実現させるためのアプリケーションソフトであるが、システムプログラム５０１の一部として組み込まれた構成であっても良い。
【００８４】
競技諸元データ５１０は、ユーザー１により操作入力された競技の諸元を格納する。例えば、図１２に示すように、開催年月日５１２と、競技開始指定時刻５１４と、制限地点データ５１６と、を含む。開催年月日５１２と、競技開始指定時刻５１４とは、それぞれ、競技諸元入力画面Ｗ２の入力欄４０〜入力欄４１に入力された各種パラメーター値を格納する。
制限地点データ５１６は、制限地点別のデータセットであって、本実施形態では、制限地点の識別情報（制限地点ＩＤ）と、スタート地点からの距離と、リミットタイムと、通過目標時間と、目標ペースとを含む。すなわち、競技諸元入力画面Ｗ２（図３）の入力欄４２〜入力欄４６に入力された各種パラメーター値を格納する。
勿論、競技諸元データ５１０には、これ以外のパラメーター値を対応づけて格納することができる。
【００８５】
競技データ５３０は、競技会別に設けられるデータセットであって、各競技会での競技に係る情報を格納する。例えば、図１３に示すように、表示形態制御データ５３２と、グロスデータ５４０と、ネットデータ５５０と、情報表示パラメーター値セット５６０とを含む。
【００８６】
表示形態制御データ５３２は、タッチパネル１２に競技に係る情報を表示する表示形態を制御・定義するための情報である。本実施形態では、第１の表示形態６１（図６）〜第５の表示形態（図１０）を、一の情報表示画面と見なしスクロール操作によって実際にタッチパネル１２で表示する範囲を選択することができる。よって、当該データはスクロール表示のための制御データ、例えば表示範囲を示す座標値とすることができる。もし、競技に係る情報を表示する各種表示形態を段階的なページ送りの形式とするならば、当該データはページ番号とすればよい。あるいは、表示形態のＩＤなどとすることができる。
【００８７】
グロスデータ５４０は、グロスタイム（第１種積算時間）の計時に関する各種データを格納する。例えば、グロスタイムの計時開始タイミング位置測定情報５４２と、グロスタイム５４４と、グロスタイムの計時が行われている間の積算移動距離であるグロス移動距離５４６と、計測終了タイミング位置測定情報５４８と、を格納する。勿論、これ以外のパラメーター値を格納することもできる。
【００８８】
ネットデータ５５０は、ネットタイム（第２種積算時間）別に生成され、ネットタイムの計時に関する各種データを格納する。例えば、当該ネットデータを生成する都度自動付与されるネットデータＩＤ５５２と、第２種積算時間の計時開始・一時停止・計時再開・計時終了それぞれのタイミングにおける位置測定情報を格納する計時区切タイミング位置測定情報リスト５５４と、ネットタイム５５６と、ネットタイム（第２種積算時間）の計時が行われている間の移動距離であるネット移動距離５５８と、を格納する。勿論、これ以外のパラメーター値を格納することもできる。
【００８９】
情報表示パラメーター値セット５６０は、競技に係る情報表示のための各種パラメーター値を格納する。本実施形態では、競技支援演算部２０２により、制限地点毎に１セット生成され、グロスタイムの計時開始とともに所定周期で（例えば、１秒毎、位置測定の都度）更新される。１つの情報表示パラメーター値セット５６０は、制限地点識別情報５６２（図１２の制限地点データ５１６の制限地点識別情報に対応）と、残距離５６３（第１残余情報）と、リミットタイムまでの残時間５６４（第２残余情報）と、通過目標時間までの残時間５６５と、移動ペース５６６と、到達予測時間５６７とを含む。
【００９０】
位置測定ログデータ５８０は、測位部１０２による測定結果すなわち位置測定情報の時系列の記録である。本実施形態では、グロスタイム（第１種積算時間）の計時開始から計時終了までの時系列データとなるが、競技支援とは別の所定の位置測定の開始／終了操作に応じて記録を開始／終了するとしてもよい。
【００９１】
［処理の流れの説明］
次に、携帯機器２の動作について説明する。
図１４〜図１５は、本実施形態における携帯機器２における競技支援に関する処理の流れを説明するためのフローチャートである。ここで説明する一連の処理の流れは、例えば、所定の競技支援機能の作動開始操作を検出すると、処理部２００が競技支援プログラム５０２を読み込み実行することにより実現される。あるいは、そもそも当該プログラムは既に読み込まれて実行中の状態にあり、当該作動操作を待っている待機状態とされる。なお、測位部１０２による位置測定は、携帯機器２の電源がオンであれば常時行われているものとする。
【００９２】
先ず図１４に示すように、処理部２００は、競技諸元データ５１０の設定処理を実行する（ステップＳ１０）。具体的には、図３で示したような入力画面を表示制御し、各入力欄４０〜４６への設定値の入力を実現する。例えば、最初は主ページＰ１を表示させて、開催年月日の入力欄４０及び競技開始指定時刻の入力欄４１の入力が完了すると、新たに副ページＰ２を表示制御する。新たな制限地点（ユーザー１が任意に設定する通過地点を含む）に係る諸元の入力が完了すると自動的に、別の新たな副ページＰ３を表示制御して、別の新たな制限地点の諸元入力を可能にする。以下、これを繰り返す。各入力欄４０〜４６へ入力された諸元すなわちパラメーター値は、競技諸元データ５１０（図１２）として記憶部５００に記憶される。そして、所定の諸元設定の完了操作を検出すると当該ステップを終了する。
【００９３】
次に、処理部２００は、競技データ５３０を生成して表示形態制御データ５３２（図１３）を所定のデフォルト値に設定して、情報表示パラメーター値セット５６０の逐次更新を開始し、競技に係る情報表示を開始する（ステップＳ１２）。
本実施形態では、表示形態制御データ５３２のデフォルト値は第１の表示形態６１（図６）を示すものとする。従って、タッチパネル１２には第１の表示形態６１による表示がされるが、この時点ではグロスタイムの計時も始まっていないので、グロスタイム表示部６１ａもネットタイム表示部６１ｂも計時が「０」のままである。
【００９４】
次に、処理部２００は、競技が開催される現地標準時刻（クロック時刻）が競技諸元データ５１０の競技開始指定時刻５１４（図１２）に達すると（ステップＳ１４のＹＥＳ）、処理部２００は自動的にグロスタイムの計時を開始する（ステップＳ１８）。具体的には、グロスデータ５４０の計時開始タイミング位置測定情報５４２に最新の位置測定情報を格納し、グロスタイム５４４の計時と、グロス移動距離５４６の積算とを開始する（図１３）。
【００９５】
また、現地標準時刻が競技開始指定時刻５１４に達していなくとも（ステップＳ１４のＮＯ）、所定のグロスタイム計時開始操作が検出されたならば（図４（１））、処理部２００はグロスタイムの計時を開始する（ステップＳ１８）。
【００９６】
グロスタイムの計時が開始されると、タッチパネル１２では（表示形態の変更がなされていなければ）第１の表示形態６１で情報表示が行われているので、グロスタイム表示部６１ａでは時々刻々と計時されていく結果が表示される。前述の通り、計時が開始されると、グロスタイムの計時は所定のグロスタイム計時終了操作（図４（３））が検出されるまで停止不可である。
【００９７】
そして、グロスタイムの計時が開始された後に、所定のネットタイムの計時開始操作（図５（１））を検出すると（ステップＳ２０のＹＥＳ）、処理部２００は新しいネットデータ５５０（図１３）を生成し（ステップＳ２２）、ネットタイムの計時を開始する（ステップＳ２４）。具体的には、最新の位置測定情報を計時区切タイミング位置測定情報リスト５５４に格納し、ネットタイム５５６の計時と、ネット移動距離５５８の積算とを開始する。
【００９８】
ネットタイムの計時が開始されると、タッチパネル１２では（表示形態の変更がなされていなければ）第１の表示形態６１で情報表示が行われているので、ネットタイム表示部６１ｂでは時々刻々と計時されていく結果が表示される。
【００９９】
前述のように、ネットタイム（第２種積算時間）の計時は一時停止及び再開が可能である。
よって、グロスタイムの計時開始以降、ネットタイムの計時一時停止操作（図５（２））を検出すると（ステップＳ３０のＹＥＳ）、処理部２００は、最新の位置測定情報を計時区切タイミング位置測定情報リスト５５４に格納し、ネットタイム５５６の計時とネット移動距離５５８の積算を一時停止する（ステップＳ３２）。
【０１００】
また、グロスタイムの計時開始以降、ネットタイムの計時再開操作（図５（３））を検出すると（ステップＳ４０のＹＥＳ）、処理部２００は、最新の位置測定情報を計時区切タイミング位置測定情報リスト５５４に格納し、ネットタイム５５６の計時とネット移動距離５５８の積算を再開する（ステップＳ４２）。
【０１０１】
図１５に移って、また、グロスタイムの計時開始以降、ネットタイムの計時終了操作（図５（４））を検出すると（ステップＳ５０のＹＥＳ）、処理部２００は、最新の位置測定情報を計時区切タイミング位置測定情報リスト５５４に格納し、ネットタイム５５６の計時とネット移動距離５５８の積算とを終了する（ステップＳ５２）。
【０１０２】
また、グロスタイムの計時開始以降、競技に係る情報表示の表示形態変更操作を検出すると（ステップＳ６０のＹＥＳ）、処理部２００は当該表示形態変更操作に応じて表示形態を変更する（ステップＳ６２）。本実施系形態では、スクロール形式で表示形態を変更するので、ユーザー１によるタッチパネル１２へのフリック操作を検出すると、フリック操作１回毎に表示形態を次の表示形態に変更して、表示形態制御データ５３２を変更する。
【０１０３】
もし、グロスタイムの計時開始以降、グロスタイムの計時終了操作を検出したならば（ステップＳ１００のＹＥＳ）、処理部２００はグロスタイム５４４の計時とグロス移動距離５４６との積算を終了する（ステップＳ１０２）。更に、この時点でネットタイムの計時が継続していれば（ステップＳ１０４のＹＥＳ）、ネットタイム５５６の計時及びネット移動距離５５８の積算を終了する（ステップＳ１０６）。
【０１０４】
そして、処理部２００は、情報表示パラメーター値セット５６０の逐次更新を終了し（ステップＳ１０８）、競技に係る情報表示の表示形態をデフォルトに戻して（ステップＳ１１０）、一連の処理を終了する。
【０１０５】
以上、本実施形態によれば、マラソン大会のような大人数参加型の競技におけるグロスタイム（第１種積算時間）、ネットタイム（第２種積算時間）を別々に計時し、競技に係る様々な情報をユーザーに提供することができる。しかも、グロスタイムの計時開始は、ユーザー自身による操作入力によっても可能であるのは勿論のこと、指定時刻になると自動的に計時開始させることができる。例えば、競技会の周辺環境の騒音等によってユーザーがスタートの号砲を聞きとれない場合でも、公式な指定時刻を基準としたグロスタイム（第１種積算時間）の計時を正確に実現できる。
【０１０６】
ユーザー１は、第１の表示形態６１（図６）ではグロスタイムとネットタイムとの両方を一緒に表示できるので、競技の公式時間と自身の競技時間とを常に把握できる。
更に、第２の表示形態６２（図７）〜第５の表示形態６５（図１０）のうち、好みの情報表示を選択し、現在のランニングペースの調整を判断するための情報を得ることができる。特に、リミットタイムまでに通過しないと競技継続が出来なくなる制限地点（いわゆる関門）が設けられているマラソン大会等の場合、ペースの調整を判断するための情報はとても重要であるため、ユーザーに多大なメリットを提供することができる。
【０１０７】
〔変形例〕
以上、本発明を適用した実施形態について説明したが、本発明の適用形態はこれに限定されるものではなく、適宜構成要素の追加・省略・変更を施すことができる。
【０１０８】
例えば、上記実施形態では携帯機器２をユーザー１の手首に装着する装置として例示したが、身体の何処に装着するかは適宜変更することができる。例えば、図１６に示す携帯機器２Ｂに示すように、主にバンド１８で上腕部に装着することを想定した装置としても良い。あるいは、バンド１８で頭部にゴーグルのように装着するようにデザインしてもよい。携帯機器２のデザインも、それに応じて腕時計型に限らず、タブレット型やアクションカム型、ゴーグル型であっても良く、適宜設定できる。また、携帯機器２が十分小さいならば、バンド１８の代わりにメガネのテンプル状の構造体を設けて、グラスウェア型にデザインすることとしてもよい。
【０１０９】
また、上記実施形態では、位置計測システムとしてＧＰＳを用いる例を説明したが、ＷＡＡＳ（Wide Area Augmentation System）、ＱＺＳＳ（Quasi Zenith Satellite System）、ＧＬＯＮＡＳＳ（GLObal NAvigation Satellite System）、ＧＡＬＩＬＥＯ等の他の衛星測位システムであっても良い。
【０１１０】
また、上記実施形態では、ネットタイム（第２種積算時間）の計時は、グロスタイム（第１種積算時間）の計時開始の後に開始する構成としたが、グロスタイムの計時と同時に開始する構成も可能である。具体的には、ステップＳ１８にステップＳ２６の内容を追加すればよい。あるいは、グロスタイムの計時開始操作を、グロスタイムのみ計時開始する操作と、グロスタイムとネットタイムとの両方を同時計時開始する操作との２通りを設定しておく。そして、後者の操作でグロスタイムとネットタイムとの両方を同時計時開始する。
【符号の説明】
【０１１１】
１…ユーザー、２…携帯機器ＧＰＳ衛生３…ＧＰＳ衛星、１０…メインフレーム、１２…タッチパネル、１６…操作スイッチ、１８…バンド、２０…基板、２１…充電式バッテリー、２２…ＣＰＵ、２４…メインメモリー、２６…計測データ用メモリー、２８…位置測定モジュール、２９…近距離無線モジュール、４０〜４６…入力欄、６１…第１の表示形態、６１ａ…グロスタイム表示部、６１ｂ…ネットタイム表示部、６２…第２の表示形態、６２ａ…第１残余情報表示部、６２ｂ…第２残余情報表示部、６２ｃ…第３残余情報表示部、６３…第３の表示形態、６３ａ…リミットタイム表示部、６３ｂ…グロスタイム表示部、６４…第４の表示形態、６４ａ…通過目標時間表示部、６４ｂ…ネットタイム表示部、６５…第５の表示形態、６５ａ…目標ペース表示部、６５ｂ…移動ペース表示部、６５ｃ…到達予測時間表示部、６５ｄ…リミットタイム表示部、１００…操作入力部、１０２…測位部、２００…処理部、２０２…競技支援演算部、２０４…第１種計時部、２０６…第２種計時部、２０８…積算時間表示部、２１０…移動距離算出部、２１２…通過リミット情報設定制御部、２１４…残余情報表示制御部、２１６…移動ペース算出部、２１８…到達予測時間算出部、２２０…到達予想時間表示制御部、２２２…ペース表示制御部
２２４…リミットタイム対比表示制御部、２２６…通過目標時間設定制御部、２２８…目標基準残余情報表示制御部、２６０…画像生成部、２７０…通信制御部、３６０…画像表示部、３７０…通信部、５００…記憶部、５０１…システムプログラム、５０２…競技支援プログラム、５１０…競技諸元データ、５１２…開催年月日、５１４…競技開始指定時刻、５１６…制限地点データ、５３０…競技データ、５３２…表示形態制御データ、５４０…グロスデータ、５４２…計時開始タイミング位置測定情報、５４４…グロスタイム、５４６…グロス移動距離、５４８…計測終了タイミング位置測定情報、５５０…ネットデータ、５５２…ネットデータＩＤ、５５４…計時区切タイミング位置測定情報リスト、５５６…ネットタイム、５５８…ネット移動距離、５６０…情報表示パラメーター値セット、５６２…制限地点識別情報、５６３…残距離、５６４…リミットタイムまでの残時間、５６５…通過目標時間までの残時間、５６６…移動ペース、５６７…到達予測時間、５８０…位置測定ログデータ
Ｐ１…主ページ
Ｐ２，Ｐ３…副ページ
Ｗ２…競技諸元入力画面
【図１】
2015073591.tif 000003
【図２】
2015073591.tif 000004
【図３】
2015073591.tif 000005
【図４】
2015073591.tif 000006
【図５】
2015073591.tif 000007
【図６】
2015073591.tif 000008
【図７】
2015073591.tif 000009
【図８】
2015073591.tif 000010
【図９】
2015073591.tif 000011
【図１０】
2015073591.tif 000012
【図１１】
2015073591.tif 000013
【図１２】
2015073591.tif 000014
【図１３】
2015073591.tif 000015
【図１４】
2015073591.tif 000016
【図１５】
2015073591.tif 000017
【図１６】
2015073591.tif 000018